(57)【特許請求の範囲】
【請求項１】
後方部に本体部分および前方部に保持部材を有する、長尺の中空シリンダー状の筆記用具ケーシング（２）と、
保持部材に保持される繊維状筆記先端（５）と、
筆記用具ケーシング（２）の本体部内後方側に配置された、後端から液体を充填可能であり、かつ後充填可能な液体貯蔵室（８、11）とを有し、
繊維状筆記先端（５）と、液体貯蔵室（８、11）と、が毛細管流連結（９）されるように構成されている繊維状筆記用具であって、
更に、実質的に乾燥状態のペースト状染顔料（７）が充填された貯蔵室（６、20）を有し、この貯蔵室（６、20）は筆記具ケーシング（２）の後方から押し込み可能であり、かつ押し込まれており、これにより貯蔵室（６、20）が筆記先端（５）と後方の液体貯蔵室（８、11）の間に配置され、
繊維状筆記先端（５）、染顔料の充填された貯蔵室（６、20）および液体貯蔵室（８、11）が毛細管流連結（９）を生じ、
この毛細管流連結（９）は、記用具ケーシング（２）の本体部内に結合素子（９）が設けられ、液体貯蔵室（８）に液体を供給することにより、液体が染顔料（７）を取り込み、これにより染顔料を含む筆記材料が構成され、この筆記材料が毛細管作用を生ずる結合素子（９）を経て、繊維状の筆記先端（５）にもたらされることにより生じ、
液体を最初に充填する前には繊維状筆記先端（５）に染顔料が移動しないことを特徴とする繊維状筆記用具。
【請求項２】
液体貯蔵室（８）が後充填されることを特徴とする、請求項１に記載の繊維状筆記用具。
【請求項３】
染顔料が充填された貯蔵室（６、20）が液体貯蔵室（８）から分離して存在することを特徴とする、請求項１に記載の繊維状筆記用具。
【請求項４】
記用具ケーシング（２）の本体部内に筆記材料貯蔵槽（４）が設けられ、液体の供給により、液体が染顔料（７）を取り込み、これにより染顔料を含む筆記材料が構成され、この筆記材料が筆記材料貯蔵槽（４）に一旦保存され、この筆記材料貯蔵槽（４）により、混合と、繊維状の筆記先端（５）への筆記材料の給送との双方が行われ、筆記用具ケーシング（２）中の筆記材料が筆記先端（５）へ直接かつ常時供給されていることを特徴とする請求項１に記載の繊維状筆記用具。
【請求項５】
記用具ケーシング（２）の本体部が毛細管作用を有する芯状結合素子（９）を有し、この芯状結合素子（９）が少なくとも液体貯蔵室（８）および筆記材料貯蔵槽（４）中に突出し、かつ貯蔵室（６、20）を貫通していることを特徴する請求項４に記載の繊維状筆記用具。
【請求項６】
染顔料（７）が乾燥した染顔料であることを特徴とする請求項１に記載の繊維状筆記用具。
【請求項７】
毛細管作用を得るために芯状の形態を有する結合素子（９）が設けられていることを特徴とする、請求項１記載の繊維状筆記用具。
【請求項８】
芯状結合素子（９）が、貯蔵室（６、20）内での液体の充填による染顔料の溶解および混合を促進する屈曲部分（10）、パターン形状部分（19）、継ぎ足し部分（17）または分割部分（14a）を有することを特徴とする、請求項７に記載の繊維状筆記用具。
【請求項９】
貯蔵室（６、20）の染顔料と芯状結合素子（9,21）とが弾性プレストレスの状態で接触状態に保持されることを特徴とする請求項８記載の繊維状筆記用具。
【請求項１０】
染顔料を含有する貯蔵室（６、20）が少なくとも充填された状態で弾性的に伸びるかまたはプレストレスのかかった状態の内壁（22）を有することを特徴とする、請求項10記載の繊維状筆記用具。
【請求項１１】
筆記材料貯蔵槽（４）が液体貯蔵室（８）に比べて小さく構成されていることを特徴とする請求項５に記載の繊維状筆記用具。
【請求項１２】
筆記用具ケーシング（２）の筆記先端（５）と離れた別の末端に液体貯蔵室（８）の一部として、液体充填用の充填短管（11）が備えられていることを特徴とする、請求項１に記載の繊維状筆記用具。
【請求項１３】
液体貯蔵室（８）が充填短管（11）と、これを覆う留めキャップ（12）とを有し、この留めキャップ（12）が同時に液体のための計量カップとして構成されていることを特徴とする、請求項１記載の繊維状筆記用具。
【請求項１４】
貯蔵室（６、20）の直径が筆記用具ケーシング（２）の本体部の内径とに適合するように構成されていることを特徴とする、請求項１に記載の繊維状筆記用具。
【発明の詳細な説明】
産業上の利用分野
本発明は、特許請求の範囲１から３までの上位概念による筆記用具に関するものである。
従来技術
液体の筆記材料を有する多くの筆記用具が、知られている。筆記材料貯蔵室は、再充填可能の貯蔵容器または交換可能のカートリッジから成り立っている。繊維式筆記具等の場合には、筆記用具ケーシング中にタンポンまたはこれに類する毛細管貯蔵室が備えられていて、これが製造過程で予め決められた完成筆記材料室に充満される。
これまでのシステムは、各種の点から困難がある。
吸込みシステムを有する再充填型万年筆は、消費型で手間がかかり汚れる危険と結びついた再充填システムのために、現在では唯僅かに使われるだけになっている。この代りにさらに広く流布しているカートリッジは、空となったカートリッジの屑およびその屑の包装等に関して環境保護の問題点を提供している。さらには、販売業者が異なる色調染顔に対応したカートリッジを貯蔵しなければならない。
製造過程で筆記材料で充填された筆記材料貯蔵を筆記用具ケーシング中に組入れてある筆記用具の場合には、筆記材料貯蔵量が制限されるという欠点が生じる。さらに本質的な欠点は、長期間貯蔵する際にはからからに乾くことの危険が生じ、従って充填された染顔料貯蔵量が実際的に消費つくされる前に筆記用具がもはや使用不能になるかまたは早期に作動しなくなる。
特許の目的
本発明の使命は、上述の問題点を簡単で有効な方法により対処することである。
特許の構成
この使命は、筆記具先端と直接接触している筆記用具ケーシング中の筆記材料貯蔵分のほかに、一方で染顔料貯蔵部および他方で液体貯蔵槽とに分離し、これらが相互に筆記材料貯蔵分と毛細管流動で結合していることによって、本質的に解決される。
特別な特徴は、染顔料貯蔵からの染顔料が筆記用具の利用によって筆記材料の消費が進む程度に応じて液体により溶解されるかまたは取り入れられて混合されることである。この場合に筆記材料貯蔵量は、筆記用液体を補充的に混合し同時に筆記具先端に送り込むようにする機能だけを有している。
実際上には、筆記液は筆記用具の利用者自身によって、利用者が筆記用具を初めて使用する瞬間に製造されることができる。このためには、適当な液体の予め定められた量が筆記用具ケーシングまたは液体貯蔵部に充填されていることだけが必要となる。この場合に液体としては、水またはエチルアルコールまたはこれに類するアルコールが該当する。液体は液体貯蔵槽から吸い上げられて毛細管結合素子を通って初めて染顔料貯蔵部に到って接触し、この貯蔵部から対応する量の染顔料を溶解して、この染顔料を毛細管で液体と混合して筆記材料貯蔵分に運び、そこから通常の方法で筆記具先端が供給される。一般的には、液体が充填した後で筆記用具が書けるようになるまでには僅かに数瞬間（２から２分）が経過するだけである。
この方法で筆記用具は、その製造後において初めての利用前には無制限に貯蔵可能となる。利用者は、筆記用具の利用に関して染顔料貯蔵量の量に対応する完全な筆記継続時間をまた現実に使用できることを、頼りにすることができる。また大きな染顔料充填の場合においては、液体貯蔵量はいつでも必要とする液体量を再び充填するかまたは後充填することができるので、限られた貯蔵容量のみを有するだけで十分である。
後充填のためにはカートリッジおよびカートリッジ包装はもはや必要でないので、カートリッジと関連する廃棄物の問題は登場しない。また販売業者においても、色の異なるカートリッジを準備貯蔵しておく必要がなくなる。
別の面では、インキ充填具のような費用のかかる吸引システムは必要でない。後充填の場合でも、後充填される液体が顔料を含んでいないので汚れる問題は発生しない。従って清潔な後充填が常に可能である。
それでも、乾燥しているかまたはペースト状の染顔料が高濃度で存在し従って十分量で筆記用具中に貯蔵されているので、筆記用具が高い寿命を示すことができる。
本発明は、以下に続いて模式的な図面による多くの説明例によってより詳細に解明される。
図１は本発明による完成形状の筆記用具縦断面図；
図２は変更形状での顔料貯蔵部の高さにおける横断面図；
図３は図２に従った形状で使用される芯の部分図；
図４は染顔料貯蔵部の変更形状の断面図；
図５は結合素子の変更形状の側面図および
図６は染顔料貯蔵部のさらに変更された形状の垂直断面図となっている。
図１においては、新式の筆記用具１の最初の完成図が示されている。この筆記用具は長く伸びた中空管状の筆記用具ケーシングとなっており、その前部末端に筆記先端５の保持具が形成されている。この形状例では繊維状筆記具が取り扱われていることが、示されている。筆記先端５は、後方の末端で筆記材料貯蔵用の小さな貯蔵槽４と常に直接接触している。使用しない時には、筆記先端が留めキャップ３によって外から保護されて取りはずされることもできる。
筆記材料貯蔵槽４の後には１室またはカートリッジ６が配列されており、ここに粉体状またはペースト状顔料貯蔵槽７が含まれている。顔料貯蔵槽には、液体用の比較的大きな貯蔵槽８が接続している。液体は充填短管11を経て、筆記用具ケーシング２の筆記先端５に向けられて末端に充填されるかまたは後充填される。充填短管11は、ねじキャップ12によって密閉されている。この場合にねじキャップ12は同時に特徴的に計量カップとして構成されており、従って利用者は充填される液体の量について特別な注意をする必要がない筈である。
筆記材料貯蔵槽４、染顔料７および貯蔵槽８中の液体は、一緒に毛細管流れのつながり中に存在する。このためには芯状の結合素子９が役立っており、これが顔料貯蔵槽７を貫通して貯蔵槽８ならびに筆記材料貯蔵槽４まで突き抜けて、かくして３領域を毛細管で一緒に結んでいる。
結合素子９は、貯蔵槽８中に液体を充填した後で液体の一部が顔料貯蔵の槽中に入れられて、そこで顔料と接触する。顔料は液体によって溶解されるかまたは取り入れられて、液体と一緒になって筆記材料に混合されて筆記材料貯蔵部４に運ばれ、ここから筆記先端５が筆記材料を供給される。
液体の充填は、利用者によって処理される。顔料の種類に応じて、水またはエチルアルコールまたはこれに類するアルコール類が使用されることができる。筆記用具は、液体充填後に数分間で筆記できるようになる。筆記具の筆記力が弱まったならば、利用者は液体を計量された量で貯蔵槽８に後充填することができる。この経過は、顔料貯蔵槽７が使いつくされるかまたは筆記先端５があまりにひどく使い古されてしまうまでは、それだけしばしば繰り返されることができる。しかしこのような筆記用具ではまたこの配列が適しているので、ここでは筆記先端自身が交換可能であり、従って永い寿命が得られている。
槽６中には、乾燥顔料またはペースト形状の顔料が予定されることができる。
顔料貯蔵量が減少してくる時に芯素子９と顔料との間の接触を確保するためには、各種の処置が個々かまたは組み合わされて利用されることができる。
図２および３は芯素子14を示しており、これは顔料貯蔵の領域において数個の平行している芯素子14aに分割されており、これらは顔料貯蔵槽13の横断面によって分散されていることが判かる。
図４による形状では、顔料貯蔵室15内の芯素子16が例えば円盤状広がり17のような数個の断面拡大図を示している。
しかしまた、芯素子は特別な方法ではっきりと特徴を示されることもできる。図５は、顔料貯蔵領域におけるらせん形状の芯素子18またはねじ形状19のように形成されているのを示している。
しかしまたこの配置は、顔料貯蔵室と芯素子が常に弾性的なプレストレス（Vorspannung）を与えた状態で対向接触に保たれるようにすることもできる。
図６は、顔料貯蔵室23を貫通している芯素子21を示している。カートリッジまたは室22の中に弾性的に伸びうるホース状素子22が備えられており、これが緊張緩和の状態では例えば図６の左側半分の“a"の形状に対応し、染顔料の充填によっては図６の右側半分の“b"の形状に弾性的に拡大膨張される。
しかしまた別の可能性もあり、例えば芯素子を弾性的に伸ばして接触を維持するようにするか、または顔料貯蔵室を弾性的なプレストレスの下においてピストン／シリンダー配置のような状況を維持させるかである。
しかしながら、筆記用具の通常の動きおよび変わる位置によって常に毛細管結合素子と顔料貯蔵室との間の十分な接触については配慮されていることが、示されている。しかし、顔料が液体によってよく取り入れられて良好な混合ができるように配慮するためには、貯蔵室の領域における接触面積を相対的に大きく保持することが合目的である。このためには、例えば図１中において示されている結合素子中の側面の屈曲10が合目的に効果的となっていることができる。
この新筆記用具は、液状筆記材料の製造において充填される必要がないので、簡単に組み立てられて容易に製造され清潔に取り付けられる。貯蔵室６中の顔料貯蔵量が安定しているので、初めての筆記用具使用前に液体の充填をすることなしには筆記材料貯蔵室４への顔料の移動が現われず、従って筆記先端５への顔料移動も起こらない。このことは、また顔料のペースト状での安定にも該当している。
【図１】
0003554934.tif 000002
【図２】
0003554934.tif 000003
【図３】
0003554934.tif 000004
【図４】
0003554934.tif 000005
【図５】
0003554934.tif 000006
【図６】
0003554934.tif 000007